(57)【要約】【課題】  遊技場で行われる不正行為を監視して、これを的確に発見する。【解決手段】  スロットマシン１３には、識別情報が記憶されたＲＦＩＤタグ３９が設けられている。島設備１１にはＲＦＩＤアンテナ装置１５が設けられている。ＲＦＩＤアンテナ装置１５はＲＦＩＤタグ３９に電波を発信し、ＲＦＩＤタグ３９に記憶された識別情報がＲＦＩＤアンテナ装置１５に受信される。受信された識別情報は、島設備管理コンピュータ５９を介してホストコンピュータ６３に送られる。ホストコンピュータ６３では、識別情報を照合してスロットマシン１２の認証を行う。識別情報が読み取れないときや、識別情報が誤ったものであるときには、異常報知装置６８が作動して、スロットマシン１２に不正行為が行われた可能性があることが遊技場の従業員に報知されると同時に、電源管理装置６９によりスロットマシン１２の電源が遮断される。【選択図】        図７
2005058677.tif 000002
【特許請求の範囲】
【請求項１】
遊技機と、遊技機を監視する監視装置とからなる監視システムであって、
前記遊技機には、識別情報を記憶した識別情報記憶手段と、識別情報記憶手段から読み出した識別情報を無線信号として送信する第１の通信手段とが設けられ、
前記監視装置には、前記第１の通信手段から送信された識別情報を受信する第２の通信手段と、前記第２の通信手段が受信する識別情報について、正常でなかった遊技機を特定する判定手段とが設けられている、
ことを特徴とする監視システム。
【請求項２】
前記監視装置は、前記識別情報に対応して予め登録される登録情報を記憶した登録情報記憶手段を有し、前記第２の通信手段が受信した識別情報と前記登録情報とを照合し、合致しなかった遊技機を特定することを特徴とする請求項１記載の監視システム。
【請求項３】
前記監視装置は、前記識別情報の読み取りが行えなかった遊技機を特定することを特徴とする請求項１又は２記載の監視システム。
【請求項４】
前記監視装置により、識別情報の合致しなかった遊技機又は識別情報の読み取りが行えなかった遊技機が特定されたときに、該遊技機を報知する報知手段を備えていることを特徴とする請求項２又は３記載の監視システム。
【請求項５】
前記監視装置により、識別情報の合致しなかった遊技機又は識別情報の読み取りが行えなかった遊技機が特定されたときに、該遊技機の動作を停止させる遊技機停止手段を備えていることを特徴とする請求項２又は３記載の監視システム。
【発明の詳細な説明】
【技術分野】
【０００１】
本発明は、遊技機の識別情報に基づいて不正行為を監視する監視システムに関する。
【背景技術】
【０００２】
パチンコホール等の遊技場では、島設備と称される遊技機の集合用設備によって、複数の遊技機が整列して効率よく収容されている。遊技場に設置される遊技機には、弾球遊技機（パチンコ機）と、回胴式遊技機（パチンコ型スロットマシン、通称パチスロ機）が知られている。遊技場のフロアは複数の島設備によって区画され、来場者及び従業員が歩行でき、遊技者が遊技を行うのに十分な空間が確保される。島設備には、遊技機に隣接して球貸機又はメダル貸機等の関連機器が設けられ、遊技者を煩わすことのない配慮がなされている。島設備は、遊技の配当の払い出しと特定の遊技状態を監視するホストコンピュータに接続されている。ホストコンピュータは、遊技機から払い出された配当や特定の遊技状態となった回数を島設備ごとに集計する。これにより、島設備に設置された遊技機がどのような遊技状態に推移しているかを大略的に把握でき、遊技機に異常が発生していないかどうかがわかる。
【０００３】
遊技機に異常が発生する原因は、遊技機の処理エラーによるものと、不正行為によるものとがある。不正行為には、遊技プログラムを記憶したＩＣ又は回路基板をすり換える行為や、遊技プログラムがバグを起こす電波を遊技機の周辺で発生させる行為、遊技機に器具等を差し込む行為、部品を交換する行為などがある。これらの不正行為に対処するため、遊技場では複数の監視カメラを設置して不正行為が行われているか否かの監視を行っている。また、遊技機の回路基板を透明なケースに収納し、回路基板が容易にすり替えられることを防止している。
【発明の開示】
【発明が解決しようとする課題】
【０００４】
しかしながら、不正行為の中には、夜間などの営業時間外に遊技場に侵入し、遊技機の回路基板又は回路基板を封印したケースそのものを交換するという手の込んだものがある。不正行為者は、遊技場の営業中に一般客を装って来場し、基板の交換を行った遊技機によって不当な利得を得る。この不正行為は営業中の監視カメラの映像では発見できない。その対策として、監視カメラを夜間に作動させ、監視映像を保存管理している遊技場もあるが、監視映像を確認する作業が大変な手間である。また、全ての遊技機の内部を毎日確認することも大変な労力が必要である。さらに、監視カメラを利用して営業中の不正行為を防止することに関しても、熟練した従業員の判断力が求められるため、不正行為の見落としや間違いが生じると一般客に多大な迷惑を与えるという問題がある。
【０００５】
本発明は、上記問題点を考慮してなされたもので、営業時間中及び営業時間外に行われる不正行為を確実に発見できる遊技機の監視システムを提供することを目的とする。
【課題を解決するための手段】
【０００６】
上記問題点を解決するために、本発明は、識別情報を記憶した識別情報記憶手段と、識別情報記憶手段から読み出した識別情報を無線信号として送信する第１の通信手段とを有する遊技機と、前記第１の通信手段から送信された識別情報を受信する第２の通信手段と、前記第２の通信手段が受信する識別情報について、正常でなかった遊技機を特定する判定手段とを有する監視装置とからなることを特徴とする。
【０００７】
前記監視装置は、前記識別情報に対応して予め登録される登録情報を記憶した登録情報記憶手段を有し、前記第２の通信手段が受信した識別情報と前記登録情報とを照合し、合致しなかった遊技機を特定することを特徴とする。
【０００８】
前記監視装置は、前記識別情報の読み取りが行えなかった遊技機を特定することを特徴とする。
【０００９】
前記監視装置により、識別情報の合致しなかった遊技機又は識別情報の読み取りが行えなかった遊技機が特定されたときに、該遊技機を報知する報知手段を備えていることを特徴とする。
【００１０】
前記監視装置により、識別情報の合致しなかった遊技機又は識別情報の読み取りが行えなかった遊技機が特定されたときに、該遊技機の動作を停止させる遊技機停止手段を備えていることを特徴とする。
【発明の効果】
【００１１】
本発明によれば、遊技機と遊技機が設置される設備との間で識別情報を無線交信し、識別情報の正当性に係る遊技機の認証を行うから、遊技機の設置に際して通信ケーブルを設ける必要がなく、不正な細工が行われようとしている遊技機を２４時間監視できる。また、識別情報の交信距離を適宜設定することで、遊技機が無断で動かされたり、遊技機の部品が取り外されたことを直ちに検知でき、不正行為による被害が生じる前に不正行為者を発見できる。
【発明を実施するための最良の形態】
【００１２】
図１において、遊技場１０には複数の島設備１１が設けられている。島設備１１により遊技場１０のフロアは複数の領域に区画され、来場者及び従業員が歩行でき、遊技者が遊技を行うのに十分な空間が確保されている。島設備１１には、複数のスロットマシン１２が集合して、正面を向くように横一列に整列した状態で設置されている。また、横一列に設置されたスロットマシン１２の背中合わせとなる後方位置にも複数のスロットマシン１２が同様にして横一列に設置されている。
【００１３】
図２において、島設備１１にはスロットマシン１２が固定して設置される遊技機設置棚１３が設けられている。遊技機設置棚１３は、スロットマシン１２が隙間なく組み込まれる大きさを有している。スロットマシン１２を遊技機設置棚１３に組み込むと、ほぼ前面のみが露呈される。島設備１１には、遊技機設置棚１３の少なくとも左右いずれかに隣接して台間機設置棚１４が設けられている。台間機設置棚１４には、遊技に使用する遊技メダルを貨幣と引き換えに貸し出すメダル貸機が組み込まれる。遊技機設置棚１３には、その正面壁１３ａに、ＲＦＩＤシステム（Ｒａｄｉｏ  Ｆｒｅｑｕｅｎｃｙ  Ｉｄｅｎｔｉｆｉｃａｔｉｏｎ  Ｓｙｓｔｅｍ：電波方式認識システム）の一部を構成するＲＦＩＤアンテナ装置（第２の通信手段）１５が設けられている。ＲＦＩＤアンテナ装置１５は、所定周波数の電波を発信し、後述するＲＦＩＤタグとの間で情報通信を行う。
【００１４】
図３において、スロットマシン１２は、筐体２０と前面扉２１を備えている。前面扉２１には４個の表示窓が設けられている。４個の表示窓の奥には３個のメインリール２３と１個のサブリール２４がそれぞれ設けられている。メインリール２３は、周知のように、その外周に当選絵柄を含む複数種類の絵柄が一定ピッチで配列されている。メインリール２３は、回転して絵柄の可変表示を行い、回転が停止された状態では表示窓から１リールにつき３個の絵柄が観察される。メインリール２３は、表示窓から観察される所定の当選絵柄が揃って表示されたとき、すなわち、入賞有効ラインに所定の当選絵柄が並ぶか否かによって入賞の成立又は不成立を表示する。サブリール２４は、３個のメインリール２３による入賞の表示がなされる前に、入賞の種類や入賞が実現する可能性等を絵柄の種類によって表示する。遊技で入賞が得られると、遊技にも使用できる配当の遊技メダルが受け皿２５に払い出される。
【００１５】
前面扉２１は、上扉２１ａと下扉２１ｂとからなる。下扉２１ｂの上部には、遊技を開始する条件として操作がなされる１ベットボタン２７ａ、ＭＡＸベットボタン２７ｂと、スロットマシン１２にクレジットされた遊技メダルを払い出すためのペイアウトボタン２７ｃと、遊技を行うために遊技メダルが投入されるメダル投入口２８が設けられている。スタートレバー２９は、ベットが行われた後に操作され、スタートレバー２９の操作によってメインリール２３のそれぞれが一定期間の回転を開始する。ストップボタン３０は、メインリール２３のそれぞれに設けられている。メインリール２３の回転中にストップボタン３０をそれぞれ操作することで、その操作が実行されたタイミングに基づいて、対応するメインリール２３の回転がそれぞれ停止する。
【００１６】
図４において、上扉２１ａを開くと、筐体２０の内部にはリールユニット３３が設けられている。リールユニット３３は、筐体２０から着脱自在な支持枠３４に取り付けられている。基板収納ケース３６は、透明な合成樹脂から構成されている。基板収納ケース３６は、支持枠３４の後部に設けられ、筐体２０の内部にリールユニット３３が設置された際に筐体２０の背後に近接する。また、基板収納ケース３６は、スロットマシン１２の遊技の進行に係る基本的な動作、例えば入賞の成立と不成立を決定する電子抽選など、を管理する制御回路が設けられた回路基板３７を収納しており、この回路基板３７が取り出せないように封印されている。
【００１７】
図５において、基板収納ケース３６は、ケース本体３６ａと蓋３６ｂとからなる。ケース本体３６ａは略直方体形状をしており、長方形をした回路基板３７の四隅と台座３８との位置が合わせられ、回路基板３７はケース本体３６ａにビス止め等によって固定される。蓋３６ｂはケース本体３６ａに固定され、開放した際にはその痕跡が残る封印がなされており、回路基板３７を外部から遮断する。回路基板３７には、中央演算処理装置（ＣＰＵ）と遊技プログラムを記憶したプログラムＩＣ等の主要な電子回路部品が設けられている。中央演算処理装置は、遊技プログラムを実行し、スロットマシン１２に設けられた各種の装置を制御する制御信号を生成する。遊技プログラムは、遊技の進行を管理するためのシーケンスが規定されたプログラムや、電子抽選により所定の確率で入賞を決定するプログラム等からなる。
【００１８】
基板収納ケース３６に固定される回路基板３７には、ＲＦＩＤタグ３９が設けられている。ＲＦＩＤタグ３９は、回路基板３７に設けられたタグ支持部材４０に取り付けられている。ＲＦＩＤタグ３９は、タグ支持部材４０によって回路基板３７から一定距離の位置に固定される。タグ支持部材４０は、回路基板３７に設けられた電子回路部品がＲＦＩＤタグ３９と物理的に干渉することを防ぎ、ＲＦＩＤタグ３９によって回路基板３７に電子回路部品を取り付けるための面積が小さくならないようにする。
【００１９】
ＲＦＩＤタグ３９は、ＩＣチップ４３と、ＩＣチップ４３の外面に設けられたアンテナ部４５とからなる。アンテナ部４５は、ＩＣチップ４３に内蔵された通信回路（第１の通信手段）と接続されている。アンテナ部４５では、島設備１１に設けられたＲＦＩＤアンテナ装置１５から受けた電波が電磁誘導作用により電力として蓄積される。この電力は、ＩＣチップ４３に内蔵された通信回路の電源として利用される。なお、筐体２０の後部は、電波の透過しやすい木材やプラスチック等の絶縁体で構成されているため、ＲＦＩＤアンテナ装置１５から発信された電波は、筐体２０と基板収納ケース３６とを容易に透過してアンテナ部４５に到達する。ＲＦＩＤタグ３９は、回路基板３７の電子回路部品と電気的に接続されておらず、回路基板３７の電子回路部品とは別に独立して動作する。
【００２０】
図６において、ＩＣチップ４３には、復調回路４８と、コントローラ４９と、識別情報記憶回路５０と、変調回路５１とが設けられている。復調回路４８は、アンテナ部４５で受信した電波を検波・復調して命令信号を取り出し、取り出した命令信号をコントローラ４９に入力する。コントローラ４９は、入力された命令信号に従って識別情報記憶回路５０を制御する。識別情報記憶回路５０には、スロットマシン１２の製造過程において書き込まれ、製造過程においても使用される識別情報が記憶されている。この識別情報には、スロットマシン１２に固有の製造番号、製品の型番、製品の納入先を示す顧客の識別番号、回路基板３７のリサイクル回数を示す情報、製造日の情報、製造元の工場を示す情報などがあり、全ての情報が重複して同一の識別情報を有するＲＦＩＤタグ３９が存在しないように定められている。
【００２１】
コントローラ４９は、書き込み命令信号、読み出し命令信号、書き換え命令信号が入力されることにより、識別情報記憶回路５０に対し、新たな識別情報の書き込み、記憶された識別情報の読み出し、記憶された識別情報の書き換えをそれぞれ行う。コントローラ４９は、読み出し命令信号が入力されることにより、識別情報記憶回路５０から読み出した識別情報を変調回路５１に入力する。変調回路５１は入力された識別情報を示す電気信号を変調してアンテナ部４５に出力し、アンテナ部４５は識別情報を電波として発信する。識別情報の書き込みと書き換えはスロットマシン１２の製造過程において行われ、遊技場１０に設置された状態では、特定の暗号情報の入力を行わない限り、識別情報の書き換えが行えないようにされている。
【００２２】
ＲＦＩＤアンテナ装置１５は、アンテナ部５５、復調回路５６、コントローラ５７、変調回路５８、電波発生回路５９を備えている。復調回路５６は、アンテナ部５５で受信したＲＦＩＤタグ３９からの電波を検波・復調して識別情報を取り出し、取り出した識別情報をコントローラ５７に入力する。コントローラ５７は、ＲＦＩＤタグ３９から識別情報を読み出すための読み出し命令信号を変調回路５８に入力する処理と、ＲＦＩＤタグ３９から読み出された識別情報を島設備管理コンピュータ５９に入力する処理と、識別情報が認識できなかったときに読み取りエラー信号を出力する処理とを行う。変調回路５８に入力された読み取り命令信号は、変調された後、電波発生回路６０を介してアンテナ部５５から電波として発信される。
【００２３】
図７において、島設備管理コンピュータ５９は、島設備１１にそれぞれ設けられている。島設備１１にそれぞれ設けられているＲＦＩＤアンテナ装置１５は、島設備管理コンピュータ５９に接続されている。島設備管理コンピュータ５９は、ＲＦＩＤアンテナ装置１５のそれぞれに識別情報要求信号を送る。ＲＦＩＤアンテナ装置１５のコントローラ５７は、この識別情報要求信号によって識別情報を読み出すための読み出し命令信号を出力する。
【００２４】
また、島設備管理コンピュータ５９は、島設備１１に設置されているスロットマシン１２のそれぞれと接続されている。島設備管理コンピュータ５９には、スロットマシン１２のそれぞれから払い出された配当量の情報や、配当が比較的小さい通常当たり状態の発生回数、配当が大きい大当たり状態の発生回数等の情報が入力される。これらの情報は、島設備管理コンピュータ５９で整理・集計され、ホストコンピュータ６３に入力される。
【００２５】
島設備管理コンピュータ５９と通信可能に接続されたホストコンピュータ６３には、ＲＦＩＤタグ３９から読み取られた識別情報に基づいてスロットマシン１２の認証を行う識別情報監視部６４と、島設備管理コンピュータ５９から入力される配当量及び遊技状態に関する情報に基づいて、島設備１１を監視する配当情報監視部６５が設けられている。
【００２６】
通信制御部６６は、識別情報監視部６４及び配当情報監視部６５が島設備管理コンピュータ５９との間で行う各種情報の送受信を制御する。設備情報記憶部６７は、ＲＦＩＤタグ３９に記憶されている識別情報を登録識別情報（登録情報）として予め記憶しており、さらに島設備１１にそれぞれ設置されたスロットマシン１２を特定するために割り当てられているアドレス情報等を記憶している。
【００２７】
識別情報監視部６４は、設備情報記憶部６７を参照し、監視を実行する島設備１１と、そこに設置されているＲＦＩＤアンテナ装置１５を指定するアドレス指定信号をアドレス情報に基づいて出力する。また、アドレス指定信号によって指定される島設備１１に対し、島設備管理コンピュータ５９に識別情報要求信号を出力させ、指定されたＲＦＩＤアンテナ装置１５を作動させる監視命令信号を発する。通信制御部６６は、アドレス指定信号に基づいて島設備管理コンピュータ５９と通信を行い、指定された島設備管理コンピュータ５９にアドレス指定信号と監視命令信号とを送る。
【００２８】
また、識別情報監視部６４は、読み取られた識別情報が島設備管理コンピュータ５９から入力されたとき、設備情報記憶部６７に記憶された登録識別情報と入力された識別情報とを比較・照合し、識別情報の真偽を判定する。入力された識別情報が登録識別情報と合致しなかったとき、あるいは島設備管理コンピュータ５９がＲＦＩＤアンテナ装置１５のコントローラ５７から前述した読み取りエラー信号の入力を受けたとき、識別情報監視部６４は異常検知信号を出力する。
【００２９】
異常検知信号は、通信制御部６６を介してホストコンピュータ６３の外部に設けられた異常報知装置６８と島設備１１内にそれぞれ設けられた電源管理装置６９に入力される。異常検知信号には、読み取りエラー信号が入力された島設備と、識別情報の読み取りが行えなかったＲＦＩＤアンテナ装置１５をそれぞれ特定する情報が含まれている。異常報知装置６８は、警告音を発するスピーカーと警告灯とを備えており、異常検知信号が入力されたときに、特定のスロットマシン１２で不正行為が行われた疑いがあることを、該当するＲＦＩＤアンテナ装置１５が設置されている位置とともに遊技場の従業員に報知する。電源管理装置６９は、島設備１１に設置されたスロットマシン１２のそれぞれを電源と接続するもので、異常検知信号６８の入力により該当するスロットマシン１２の電源を遮断し、遊技を強制的に停止させる。
【００３０】
次に、本発明の監視システムの作用について、図８を用いて説明する。識別情報監視部６４は、遊技場１０に設けられている全てのスロットマシン１２の認証を行うため、第１番目に認証を行う島設備１１及びスロットマシン１２のそれぞれに対応して設置されたＲＦＩＤアンテナ装置１５を指定するアドレス指定信号と、島設備管理コンピュータ５９に識別情報要求信号を出力させる監視命令信号を出力する。通信制御部６６は、アドレス指定信号に基づいて所定の島設備管理コンピュータ５９に接続し、アドレス指定信号と監視命令信号を送る。
【００３１】
島設備管理コンピュータ５９は、島設備１１に設けられている複数のＲＦＩＤアンテナ装置１５に対して識別情報要求信号を出力する。ＲＦＩＤアンテナ装置１５の内部では、コントローラ５７が島設備管理コンピュータ５９から識別情報要求信号の入力を受けて、読み出し命令信号を出力する。読み出し命令信号は、変調回路５８、電波発生回路６０を介してアンテナ部５５から電波として発信される。
【００３２】
アンテナ部５５から発信された電波は、筐体２０の後部と基板収納ケース３６などの絶縁体を容易に透過し、ＲＦＩＤタグ３９のアンテナ部４５に到達する。ＲＦＩＤタグ３９は、アンテナ部４５に伝達された電波から返信動作に必要な電力を取得し、コントローラ４９は、入力された読み出し命令信号により、識別情報記憶回路５０から識別情報を読み出す。読み出された識別情報は、アンテナ部４５から電波として発信される。
【００３３】
ＲＦＩＤアンテナ装置１５では、ＲＦＩＤタグ３９から発信された電波がアンテナ部５５で受信され、復調回路５６を介して電波から取り出された識別情報がコントローラ５７に入力される。コントローラ５７は、ＲＦＩＤタグ３９から読み取られた識別情報を島設備管理コンピュータ５９に入力する。島設備管理コンピュータ５９は、入力された識別情報を、対応するＲＦＩＤアンテナ装置１５のアドレス情報とともにホストコンピュータ６３に送る。
【００３４】
一方、ＲＦＩＤアンテナ装置５９は、識別情報の読み取り命令信号を出力してから所定時間以内に識別情報が入力されないと、識別情報の読み取りが行えなかったことを示す読み取りエラー信号を島設備管理コンピュータ５９に送る。島設備管理コンピュータ５９は、識別情報の読み取りが行えなかったＲＦＩＤアンテナ装置１５のアドレス情報とともに読み取りエラー信号をホストコンピュータ６３に入力する。
【００３５】
ホストコンピュータ６３では、島設備管理コンピュータ５９から識別情報監視部６４に識別情報、又は読み取りエラー信号が入力される。識別情報監視部６４は、読み取りエラー信号が入力されると、識別情報が読み取れなかったＲＦＩＤアンテナ装置１５を再度作動させるために二度目の監視命令信号を出力する。この結果、読み取りエラー信号が再度入力された場合、識別情報監視部６４は、読み取りエラー信号とともに入力されたアドレス情報に基づいて、異常報知装置６８と電源管理装置６９に異常検知信号を入力する処理を行う。
【００３６】
島設備管理コンピュータ５９から識別情報が入力された場合、識別情報監視部６４は、設備情報記憶部６７を参照し、入力された識別情報と登録識別情報とをアドレス情報に基づいて照合する。読み取られた識別情報が登録識別情報と合致すると、該当するスロットマシン１２を認証する。同様にして第１番目の島設備１１のスロットマシン１２について識別情報の照合を順次行っていく。一方、入力された識別情報と登録識別情報とが合致しなかった場合、識別情報監視部６４は、監視命令信号を再度出力し、入力された識別情報と登録識別情報とを再度照合する。二度目の照合で合致が得られなかった場合、読み取られた識別情報が偽の識別情報であると判定され、識別情報監視部６４は、異常報知装置６８と電源管理装置６９に異常検知信号を出力する処理を行う。
【００３７】
ＲＦＩＤアンテナ装置１５が識別情報を読み取れない場合や、登録識別情報と合致しない識別情報が読み取られた場合には、回路基板３７が基板収納ケース３６ごとすり換えられた可能性や、スロットマシン１２を細工するためにＲＦＩＤタグ３９がＲＦＩＤアンテナ装置１５との交信圏外に移動された可能性があることを示す。また、ＲＦＩＤタグ３９とＲＦＩＤアンテナ装置１５との交信圏内で不審な電波が発生している可能性を示す。異常報知装置６８は、識別情報監視部６４が異常を検知したスロットマシン１２を遊技場１０の従業員に報知し、電源管理装置６９は、異常の検知されたスロットマシン１２の電源を遮断して異常の原因が判明するまで遊技を中止させる。これにより、被害が発生する前に不正行為を発見できる。
【００３８】
島設備管理コンピュータ５９は、島設備１１に設けられている全てのＲＦＩＤアンテナ装置１５に対して識別情報要求信号を送るので、島設備１１に設置された全てのスロットマシン１２にそれぞれ設けられているＲＦＩＤタグ３９から識別情報が読み取られる。また、１つの島設備１１での監視が終了すると、同様にして他の島設備１１の監視を行う。
【００３９】
このようにして、識別情報監視部６４は、監視対象となる島設備１１を順次変えながら、島設備１１に設置されたスロットマシン１２のそれぞれについて識別情報に基づく認証を行い、遊技場１０に設置されている全てのスロットマシン１２を監視する。識別情報が正確に読み取られるか否かによって不正行為による異常が検知され、遊技場１０の従業員は、異常が報知されると同時に電源が遮断されたスロットマシン１２の設置された場所まで出向き、実際に不正行為が行われようとしていたかを直ちに確認することができる。また、営業時間外であれば、ホストコンピュータ６３に防犯装置を接続させておき、異常が検知されたときに警備員等を直ちに出動させることができる。
【００４０】
なお、上記実施形態では、監視する島設備１１が順次切り替わるようにされているが、複数の島設備１１について同時に監視を行ってもよい。また、スロットマシン１２に設けられた回路基板３７に１つのＲＦＩＤタグ３９を設けているが、本発明はこれに限られず、１つのスロットマシン１２に複数のＲＦＩＤタグ３９を設け、１つのＲＦＩＤアンテナ装置１５によって複数のＲＦＩＤタグ３９との交信を行うようにしてもよく、前面扉２１が無断で開放されたときや、スロットマシン１２に設けられている部品が交換されたときなどにこれを異常として検知できるようにしてもよい。また、１つのスロットマシン１２に対して、ＲＦＩＤアンテナ装置１５を１つ設けるのではなく、複数のスロットマシン１２に対して１つのＲＦＩＤアンテナ装置１５で交信が行えるようにし、少数のＲＦＩＤアンテナ装置１５によって識別情報の読み取りを行ってもよい。このとき、ＲＦＩＤタグ３９をＲＦＩＤアンテナ装置１５からほぼ等距離の位置に設け、その交信範囲が遊技機の外部にわたる広い範囲に及ばないようにすることが好適である。また、遊技機の認証を行うための識別情報は、遊技機及び遊技機の部品ごとに重複のない固有の情報を用いることに限らず、例えば、複数の遊技機あるいは個々の遊技機で共通して用いられる部品について、同じ識別情報を付与しておき、所定の交信距離内で識別情報の有無が確認されるか否かのみで、異常発生の有無が検知できるようにしてもよい。
【００４１】
本発明は、複数の遊技機が集合して設置される島設備に限らず、単数の遊技機を設置するための設備について適用してもよい。また、本発明は、島設備との無線交信によって識別情報の読み取りを行えるものであればよく、遊技機に設けられる通信手段は、遊技機を電源に接続する必要なしに識別情報の読み取りが行えるものに限らず、予め電池を内蔵した通信手段、遊技機を外部電源に接続することで作動する通信手段を適用してもよい。さらに、本発明では、無線通信により識別情報の読み取りを行うにあたり、電波の他に赤外線を利用することができる。また、本発明はスロットマシンに限らず、弾球遊技機をはじめとするその他の遊技機に適用可能である。
【図面の簡単な説明】
【００４２】
【図１】遊技場と島設備を示す斜視図である。
【図２】島設備とスロットマシンを示す斜視図である。
【図３】スロットマシンの斜視図である。
【図４】スロットマシンの内部の構造を示す斜視図である。
【図５】回路基板とＲＦＩＤタグを示す斜視図である。
【図６】ＲＦＩＤアンテナ装置とＲＦＩＤタグの構成を示すブロック図である。
【図７】本発明の全体構造を示すブロック図である。
【図８】ホストコンピュータが行う処理のフローチャートである。
【符号の説明】
【００４３】
１１  島設備
１２  スロットマシン
１５  ＲＦＩＤアンテナ装置
３６  基板収納ケース
３７  回路基板
３９  ＲＦＩＤタグ
４５，５５  アンテナ部
４８，５６  復調回路
４９，５７  コントローラ
５０  識別情報記憶回路
５１，５８  変調回路
５９  島設備管理コンピュータ
６３  ホストコンピュータ
６４  識別情報監視部
６７  設備情報記憶部
６８  異常報知装置
６９  電源管理装置
【図１】
2005058677.tif 000003
【図２】
2005058677.tif 000004
【図３】
2005058677.tif 000005
【図４】
2005058677.tif 000006
【図５】
2005058677.tif 000007
【図６】
2005058677.tif 000008
【図７】
2005058677.tif 000009
【図８】
2005058677.tif 000010